(57)【要約】【課題】奥歯の咬合面側の歯間部を効率良く刷掃できる歯ブラシを提供する。【解決手段】植毛台１１の外周部分に沿って植設された外周毛束群１７ａと、外周毛束群１７ａの内側領域１８の中間部分を幅方向Ｙに横断して植設された横断毛束群１７ｂと、横断毛束群１７ｂよりも先端側の内側領域１８に植設された先端側内側毛束群１７ｃと、横断毛束群１７ｂよりも後端側の内側領域１８に植設された後端側内側毛束群１７ｄとを含んで構成される。先端側内側毛束群１７ｃ及び後端側内側毛束群１７ｄの毛束１５ｃ，１５ｄは、テーパーブリッスル１６ｃ，１６ｄを束ねて形成されていると共に、外周毛束群１７ａ及び横断毛束群１７ｂの毛束１５ａ，１５ｂよりも、先端が高く突出している。外周毛束群１７ａ及び横断毛束群１７ｂの毛束１５ａ，１５ｂは、球状ブリッスルを束ねて形成されている。【選択図】図１
2019208973.tif 000002
【特許請求の範囲】
【請求項１】
複数本のブリッスルを束ねてなる毛束が、植毛台に形成された複数の植毛穴に各々植設されている歯ブラシであって、
前記植毛台の外周部分に沿って、列状に植設された複数の毛束による外周毛束群と、該外周毛束群によって囲まれる内側領域の中間部分を前記植毛台の幅方向に横断して、列状に植設された複数の毛束による横断毛束群と、該横断毛束群よりも前記植毛台の長手方向先端側の前記内側領域に植設された、複数の毛束による先端側内側毛束群と、該横断毛束群よりも前記植毛台の長手方向後端側の前記内側領域に植設された、複数の毛束による後端側内側毛束群とを含んでおり、
前記先端側内側毛束群及び前記後端側内側毛束群を構成する毛束は、先端に向かって断面積を減少させたテーパー形状部分を備える複数本のテーパーブリッスルを束ねて形成されていると共に、前記外周毛束群及び前記横断毛束群を構成する毛束よりも、先端が高く突出するように植設されており、
前記外周毛束群及び前記横断毛束群を構成する毛束は、テーパー形状部分を備えていないブリッスルを束ねて形成されている歯ブラシ。
【請求項２】
前記外周毛束群及び前記横断毛束群を構成する毛束を形成する、テーパー形状部分を備えていないブリッスルは、先端に球状部を備える球状ブリッスルとなっている請求項１記載の歯ブラシ。
【請求項３】
前記外周毛束群における最も先端側の毛束が植設される植毛穴の周縁部と、前記横断毛束群の毛束が植設される植毛穴の周縁部との間に、前記植毛台の長手方向に６〜１０ｍｍの間隔が保持されている請求項１又は２記載の歯ブラシ。
【請求項４】
前記植毛台の長手方向の中間部分に幅方向に横断して、先端側植毛台を後端側植毛台よりも高く配置させる段差部が設けられており、前記先端側植毛台に前記先端側内側毛束群が植設されていると共に、前記後端側植毛台に前記後端側内側毛束群が植設されている請求項１〜３のいずれか１項記載の歯ブラシ。
【請求項５】
前記横断毛束群が、前記後端側植毛台に植設されている請求項４記載の歯ブラシ。
【請求項６】
前記横断毛束群が、前記先端側植毛台に植設されている請求項４記載の歯ブラシ。
【発明の詳細な説明】
【技術分野】
【０００１】
本発明は、歯ブラシに関し、特に、複数本のブリッスルを束ねてなる毛束が、植毛台に形成された複数の植毛穴に各々植設されている歯ブラシに関する。
【背景技術】
【０００２】
歯ブラシは、複数本のブリッスルを束ねてなるタフト（毛束）を、例えば植毛台の植毛面に形成された複数の植毛穴に、平線を打ち込む方法や熱で融着させる方法等によって植設固定することにより形成される。また、歯ブラシは、前歯、奥歯等の歯の種類や、歯間部、歯面部、歯頸部、歯裏部等の歯の部位に応じた適切な刷掃を効率良く行って、歯垢等を効果的に除去できるように、また刷掃時に良好な感触が得られるように、毛束の配置やブリッスルの毛先の形状等に様々な工夫がなされている。
【０００３】
また特に、奥歯は、噛み合う面となる咬合面を備えており、咬合面は溝となっていて汚れが溜まり易い部位であることから、奥歯については、側面のみならず、咬合面についても、効率良く刷掃できるようにすることが望まれており、このような咬合面に対して効率良く刷掃できるようにした歯ブラシも開発されている（例えば、特許文献１参照）。
【先行技術文献】
【特許文献】
【０００４】
【特許文献１】特開２００１−９７１９１号公報
【発明の概要】
【発明が解決しようとする課題】
【０００５】
特許文献１の歯ブラシによれば、植毛台の長手方向先端側に位置する先端側毛束群を構成する毛束の毛先の先端位置を、植毛台の長手方向後端側に位置する後端側毛束群を構成する外側毛束列の毛先の先端位置よりも、低くすることで、歯間部や歯頸の刷掃効果を高めることに加えて、先端側毛束群の毛束によって、奥歯に対する効率的な刷掃を行うことができるようになっている。
【０００６】
一方、奥歯については、隣接する奥歯の間の歯間部は、奥歯の側面側から咬合面側に亘って連続して形成されているが、従来の歯ブラシでは、側面側の歯間部については配慮されているものの、咬合面側の歯間部を効率良く刷掃できるようにすることについては、特に配慮されていなことから、奥歯の側面や咬合面を刷掃することに加えて、奥歯の咬合面側の歯間部を効率良く刷掃できるようにする歯ブラシの開発が望まれている。
【０００７】
本発明は、奥歯の側面や咬合面を刷掃することに加えて、奥歯の咬合面側の歯間部を効率良く刷掃することのできる歯ブラシに関する。
【課題を解決するための手段】
【０００８】
本発明は、複数本のブリッスルを束ねてなる毛束が、植毛台に形成された複数の植毛穴に各々植設されている歯ブラシであって、前記植毛台の外周部分に沿って、列状に植設された複数の毛束による外周毛束群と、該外周毛束群によって囲まれる内側領域の中間部分を前記植毛台の幅方向に横断して、列状に植設された複数の毛束による横断毛束群と、該横断毛束群よりも前記植毛台の長手方向先端側の前記内側領域に植設された、複数の毛束による先端側内側毛束群と、該横断毛束群よりも前記植毛台の長手方向後端側の前記内側領域に植設された、複数の毛束による後端側内側毛束群とを含んでおり、前記先端側内側毛束群及び前記後端側内側毛束群を構成する毛束は、先端に向かって断面積を減少させたテーパー形状部分を備える複数本のテーパーブリッスルを束ねて形成されていると共に、前記外周毛束群及び前記横断毛束群を構成する毛束よりも、先端が高く突出するように植設されており、前記外周毛束群及び前記横断毛束群を構成する毛束は、テーパー形状部分を備えていないブリッスルを束ねて形成されている歯ブラシである。
【発明の効果】
【０００９】
本発明の歯ブラシによれば、奥歯の側面や咬合面を刷掃することに加えて、奥歯の咬合面側の歯間部を効率良く刷掃することができる。
【図面の簡単な説明】
【００１０】
【図１】本発明の好ましい一実施形態に係る歯ブラシの要部の構成を説明する略示平面図である。
【図２】本発明の好ましい一実施形態に係る歯ブラシの要部の構成を説明する略示側面図である。
【図３】図１のＡ−Ａに沿った略示断面図である。
【図４】本発明の好ましい一実施形態に係る歯ブラシを用いて、奥歯を刷掃している状態の斜視図である。
【図５】他の実施形態に係る歯ブラシの要部の構成を説明する略示側面図である。
【発明を実施するための形態】
【００１１】
本発明の好ましい一実施形態に係る歯ブラシ１０は、図１〜図３に示すように、把持部（図示せず）と植毛台１１とこれらを連結する首部１２とからなる歯ブラシ本体１３の植毛台１１に形成された複数の植毛穴１４ａ，１４ｂ，１４ｃ，１４ｄ（図１参照）に、複数本のブリッスル１６ａ，１６ｂ，１６ｃ，１６ｄを束ねてなる毛束（タフト）１５ａ，１５ｂ，１５ｃ，１５ｄ（図１（ａ）参照）を、各々植設（植毛）することによって構成される。本実施形態の歯ブラシ１０は、特に奥歯を刷掃する際に、毛束１５ａ，１５ｂ，１５ｃ，１５ｄを構成するブリッスル１６ａ，１６ｂ，１６ｃ，１６ｄを、奥歯の歯間部に、奥歯の咬合面側から入り込み易くすることで、奥歯の側面や咬合面を刷掃することに加えて、奥歯の咬合面側の歯間部を効率良く刷掃できるようにする機能を備えている。
【００１２】
そして、本実施形態の歯ブラシ１０は、複数本のブリッスル１６ａ，１６ｂ，１６ｃ，１６ｄを束ねてなる毛束１５ａ，１５ｂ，１５ｃ，１５ｄが、植毛台１１に形成された複数の植毛穴１４ａ，１４ｂ，１４ｃ，１４ｄに各々植設されている歯ブラシであって、植毛台１１の外周部分に沿って、列状に植設された複数の毛束１５ａによる外周毛束群１７ａと、外周毛束群１７ａによって囲まれる内側領域１８の中間部分を植毛台１１の幅方向Ｙに横断して、列状に植設された複数の毛束１５ｂによる横断毛束群１７ｂと、横断毛束群１７ｂよりも植毛台１１の長手方向Ｘ先端側の内側領域１８（先端側内側領域１８ａ）に植設された、複数の毛束１５ｃによる先端側内側毛束群１７ｃと、横断毛束群１７ｂよりも植毛台１１の長手方向Ｘ後端側の内側領域１８（後端側内側領域１８ｂ）に植設された、複数の毛束１５ｄによる後端側内側毛束群１７ｄとを含んで構成されている。先端側内側毛束群１７ｃ及び後端側内側毛束群１７ｄを構成する毛束１５ｃ，１５ｄは、先端に向かって断面積を減少させたテーパー形状部分を備える複数本のテーパーブリッスル１６ｃ，１６ｄを束ねて形成された、テーパー毛束となっていると共に、外周毛束群１７ａ及び横断毛束群１７ｂを構成する毛束１５ａ，１５ｂよりも、先端が高く突出するように植設されている。外周毛束群１７ａ及び横断毛束群１７ｂを構成する毛束１５ａ，１５ｂは、テーパー形状部分を備えていないブリッスルとして、好ましくは先端に球状部を備える球状ブリッスルを束ねて形成された、球状毛束となっている。
【００１３】
また、本実施形態では、好ましくは植毛台１１の長手方向Ｘの中間部分に幅方向Ｙに横断して、先端側植毛台（先端側上段植毛台）１９ａを後端側植毛台（後端側下段植毛台）１９ｂよりも高く配置させる段差部１９が設けられており（図２参照）、先端側上段植毛台１９ａに先端側内側毛束群１７ｃが植設されていると共に、後端側下段植毛台１９ｂに後端側内側毛束群１７ｄが植設されている。
【００１４】
本実施形態では、歯ブラシ本体１３は、一般的に使用されている合成樹脂を、特に制限無く用いて形成することができる。例えば、ポリプロピレン、ポリアセタール樹脂、ポリスチレン樹脂、ポリエチレンテレフタレート樹脂、アクリロニトリルブタジエンスチレン樹脂、セルロースプロピオネート樹脂、ポリアリレート樹脂、ポリカーボネート樹脂、アクリロニトリルスチレン樹脂、ポリエステル、ポリトリメチレンテレフタレート、ポリシクロヘキサンジメチレンテレフタレートから選ばれる一種又は二種以上の樹脂を用いることが好ましい。歯ブラシ本体１３の先端部分を構成する植毛台１１は、好ましくは平坦なトラック円形状の植毛面１１ａを備えており、植毛面１１ａに開口して、毛束１５ａ，１５ｂ，１５ｃ，１５ｄが植設される複数の植毛穴１４ａ，１４ｂ，１４ｃ，１４ｄが形成されている。先端側上段植毛台１９ａを後端側下段植毛台１９ｂよりも高く配置させる段差部１９は、例えば０．５ｍｍの高低差の段差部となっている。
【００１５】
本実施形態では、植毛台１１のトラック円形状の植毛面１１ａの外周部分に沿って配置されて、例えばφ１．２ｍｍの大きさの円形の外周部植毛穴１４ａが、先端側上段植毛台１９ａに８箇所、後端側下段植毛台１９ｂに８箇所の合計１６箇所に配置されて形成されている。すなわち、外周部植毛穴１４ａは、トラック円形状の植毛面１１ａの幅方向の中心線を挟んだ両側の側部外周部分に沿って、幅方向の中心線を対称軸として対称に配置されて、先端側植毛台１９ａの両側に４箇所ずつ、後端側植毛台１９ｂの両側に４箇所ずつ、各々形成されている。
【００１６】
また、本実施形態では、先端側上段植毛台１９ａとの間の段差部１９に近接する部分の後端側下段植毛台１９ｂに、植毛台１１の幅方向Ｙに連設して、例えばφ１．２ｍｍの大きさの円形の横断植毛穴１４ｂが、外周部植毛穴１４ａによって囲まれる内側領域１８の長手方向Ｘの中間部分を幅方向Ｙに横断して、５箇所に配置されて形成されている。両側の端部の横断植毛穴１４ｂは、外周部植毛穴１４ａを兼ねるようにして形成されている。
【００１７】
さらに、本実施形態では、先端側上段植毛台１９ａに、外周部植毛穴１４ａ及び段差部１９に囲まれるようにして、φ１．２ｍｍの大きさの円形の先端側内側植毛穴１４ｃが、外周部植毛穴１４ａと共に縦横に並べて配置されて、８箇所に形成されている。
【００１８】
さらにまた、本実施形態では、後端側下段植毛台１９ｂに、外周部植毛穴１４ａ及び横断植毛穴１４ｂに囲まれるようにして、φ１．２ｍｍの大きさの円形の後端側内側植毛穴１４ｄが、外周部植毛穴１４ａ及び横断植毛穴１４ｂと共に縦横に並べて配置されて、６箇所に形成されている。
【００１９】
また、本実施形態では、好ましくは外周毛束群１７ａにおける最も先端側の毛束１５ａが植設される植毛穴（外周部植毛穴１４ａ）の周縁部と、横断毛束群１７ｂの毛束が植設される植毛穴（横断植毛穴１４ｂ）の周縁部との間に、植毛台１１の長手方向Ｘに６〜１０ｍｍの間隔ｓ（図１参照）が保持されている。これによって、先端側内側毛束群１７ｃの周囲を囲む、横断植毛穴１４ｂに植設された横断毛束群１７ｂを形成する横断毛束１５ｂと、横断毛束群１７ｂよりも先端側の外周部植毛穴１４ａに植設された、横断毛束１５ｂよりも先端側の外周毛束群１７ａを形成する外周毛束１５ａとによって、個々の奥歯の咬合面の周縁部の形状に沿った形状を形成することになるので、これらの毛束１５ａ，１５ｂによって咬合面を包み込むようにしながら奥歯の刷掃を行うことが可能になって、これらの毛束１５ａ，１５ｂや先端側内側毛束群１７ｃの毛束１５ｃにより奥歯の咬合面をさらに効率良く刷掃することが可能になると共に、奥歯の咬合面側の歯間部に、横断毛束１５ｂを形成するブリッスル１６ｂを、よりスムーズに入り込ませることが可能になる（図４参照）。
【００２０】
本実施形態では、これらの植毛穴１４ａ，１４ｂ，１４ｃ，１４ｄには、各々の植毛穴１４ａ，１４ｂ，１４ｃ，１４ｄの横断面積に応じた本数のブリッスル１６ａ，１６ｂ，１６ｃ，１６ｄを束ねてなる毛束１５ａ，１５ｂ，１５ｃ，１５ｄが、各々挿入固定されて植設されている。各々の毛束１５ａ，１５ｂ，１５ｃ，１５ｄを構成するブリッスル１６ａ，１６ｂ，１６ｃ，１６ｄは、好ましくは合成樹脂からなる。ブリッスル１６ａ，１６ｂ，１６ｃ，１６ｄを形成する合成樹脂としては、ブリッスルに用いられている公知の各種のものを、特に制限なく用いることができ、例えば、ナイロン（登録商標）、ナイロン６−１２等のポリアミド、ポリブチレンテレフタレート等のポリエステル、ポリオレフィン等が挙げられる。
【００２１】
各々の植毛穴１４ａ，１４ｂ，１４ｃ，１４ｄに毛束１５ａ，１５ｂ，１５ｃ，１５ｄを植設する方法としては、公知の各種の植毛方法を採用することができる。例えば、（１）毛束を平線で２つ折りにして打ち込む方法や、（２）毛束の片端部を加熱して溶融塊を形成した後、その溶融塊を配置した金型内に溶融樹脂を注入して植毛台を射出形成する方法、（３）植毛孔（貫通孔）を有する植毛基部の該植毛孔に毛束を挿入する挿入工程、該植毛孔から突出する毛束の片端部を加熱して溶融塊を形成する熱加工工程、及び該溶融塊を被覆する被覆工程を経て、毛束が植設された状態の植毛台や歯ブラシを得る方法等を用いることができる。
【００２２】
毛束１５ａ，１５ｂ，１５ｃ，１５ｄの植毛穴１４ａ，１４ｂ，１４ｃ，１４ｄへの充填率（ブリッスルの横断面積の合計／植毛穴の横断面積）は、６０〜９０％となっていることが好ましく、６５〜９０％となっていることがさらに好ましい。
【００２３】
そして、本実施形態では、植毛台１１の先端側植毛台１９ａの植毛面１１ａに形成された８箇所の外周部植毛穴１４ａには、例えば無色のナイロンからなる、毛径が０．２０３ｍｍの太さの２４本のブリッスル１６ａを束ねて形成される外周毛束１５ａが、例えば先端側植毛台１９ａの植毛面１１ａからの毛丈が９．０ｍｍとなるように各々植設されている。
【００２４】
植毛台１１の後端側植毛台１９ｂの植毛面１１ａに形成された８箇所の外周部植毛穴１４ａには、例えば白色のナイロンからなる、毛径が０．２０３ｍｍの太さの２４本のブリッスル１６ａを束ねて形成される外周毛束１５ａが、例えば後端側植毛台１９ｂの植毛面１１ａからの毛丈が９．５ｍｍとなるように各々植設されている。これによって、後端側植毛台１９ｂに植設された８箇所の外周毛束１５ａは、先端側植毛台１９ａに植設された８箇所の外周毛束１５ａと共に、ブリッスル１６ａの先端が同様の高さ位置に配置された、外周毛束群１７ａを形成している。
【００２５】
植毛台１１の後端側植毛台１９ｂの植毛面１１ａに、先端側植毛台１９ａに近接して形成された５箇所の横断植毛穴１４ｂには、後端側植毛台１９ｂの外周部植毛穴１４ａに植設された外周毛束１５ａと同様の、毛径が０．２０３ｍｍの太さの２４本のブリッスル１６ｂを束ねて形成される横断毛束１５ｂが、例えば後端側植毛台１９ｂの植毛面１１ａからの毛丈が９．５ｍｍとなるように各々植設されている。これによって、横断毛束１５ｂによる横断毛束群１７ｂのブリッスル１６ｂの先端は、外周毛束１５ａによる外周毛束群１７ａのブリッスル１６ａの先端と、同様の高さ位置に配置されることになる。また、横断毛束群１７ｂにおける植毛台１１の幅方向Ｙの両側の端部に植設された横断毛束１５ｂは、外周毛束１５ａを兼ねるものとなっている。
【００２６】
また、本実施形態では、上述のように、外周毛束群１７ａ及び横断毛束群１７ｂを構成する毛束１５ａ，１５ｂは、テーパー形状部分を備えていないブリッスル１５ａ，１５ｂとして、例えば先端に球状部を備える球状ブリッスルを束ねて形成されていることが好ましい。外周毛束群１７ａ及び横断毛束群１７ｂを構成する毛束１５ａ，１５ｂが、球状ブリッスル１５ａ，１５ｂを束ねて形成されていることにより、特に奥歯の平滑部の歯垢を効率良く掻き取ることが可能になる。
【００２７】
なお、外周毛束群１７ａ及び横断毛束群１７ｂを構成する毛束１５ａ，１５ｂは、テーパー形状部分を備えていないブリッスル１５ａ，１５ｂとして、球状ブリッスルを束ねて形成されている必要は必ずしも無く、先端部がラウンド形状等となっている、テーパー形状部分を備えていないその他の種々のブリッスルを束ねて形成することもできる。
【００２８】
本実施形態では、先端側上段植毛台１９ａに、外周部植毛穴１４ａ及び段差部１９に囲まれるようにして形成された、８箇所の先端側内側植毛穴１４ｃには、例えば無色のポリブチレンテレフタレートからなる、毛径が０．１７８ｍｍの太さの３２本のブリッスル１６ｃを束ねて形成される先端側内側毛束１５ｃが、例えば先端側上段植毛台１９ａの植毛面１１ａからの毛丈が１０．５ｍｍとなるように各々植設されている。
【００２９】
また、本実施形態では、後端側下段植毛台１９ｂに、外周部植毛穴１４ａ及び横断植毛穴１４ｂに囲まれるようにして形成された、６箇所の後端側内側植毛穴１４ｄには、例えば無色のポリブチレンテレフタレートからなる、毛径が０．１７８ｍｍの太さの３２本のブリッスル１６ｄを束ねて形成される後端側内側毛束１５ｄが、例えば後端側下段植毛台１９ｂの植毛面１１ａからの毛丈が１１．５ｍｍとなるように各々植設されている。
【００３０】
これによって、後端側内側毛束１５ｄによる後端側内側毛束群１７ｄのブリッスル１６ｄの先端は、先端側内側毛束１５ｃによる先端側内側毛束群１７ｃのブリッスル１６ｃの先端と、同様の高さ位置に配置されることになる。また、後端側内側毛束１５ｄによる後端側内側毛束群１７ｄのブリッスル１６ｄの先端、及び先端側内側毛束１５ｃによる先端側内側毛束群１７ｃのブリッスル１６ｃの先端は、外周毛束１５ａによる外周毛束群１７ａのブリッスル１６ｂの先端、及び横断毛束１５ｂによる横断毛束群１７ｂのブリッスル１６ｂの先端よりも、例えば１．５ｍｍ程度高く突出して配置されることになる（図２、図３参照）。
【００３１】
本実施形態では、先端側内側毛束群１７ｃ及び後端側内側毛束群１７ｄを構成する毛束（テーパー毛束）１５ｃ，１５ｄは、先端に向かって断面積を減少させたテーパー形状部分を備える複数本のテーパーブリッスル１６ｃ，１６ｄを束ねて形成されている。先端側内側毛束群１７ｃ及び後端側内側毛束群１７ｄを構成する毛束１５ｃ，１５ｄが、複数本のテーパーブリッスル１６ｃ，１６ｄを束ねて形成されていることにより、奥歯の咬合面の溝に溜まった汚れを効率良く清掃することが可能になると共に、テーパーブリッスル１６ｃ，１６ｄの撓み易さにより、先端側内側毛束群１７ｃや後端側内側毛束群１７ｄの毛束１５ｃ，１５ｄによって邪魔されることなく、外周毛束群１７ａ及び横断毛束群１７ｂを構成する毛束１５a，１５ｂが、歯間部や歯頸部に無理なく到達することが可能になる。
【００３２】
上述の構成を備える本実施形態の歯ブラシ１０によれば、植毛台１１の外周部分に沿って植設された外周毛束群１７ａと、外周毛束群１７ａによって囲まれる内側領域１８の中間部分を横断して植設された横断毛束群１７ｂと、横断毛束群１７ｂよりも植毛台１１の長手方向Ｘ先端側の先端側内側毛束群１７ｃと、横断毛束群１７ｂよりも植毛台１１の長手方向Ｘ後端側の後端側内側毛束群１７ｄとを含んで構成されており、先端側内側毛束群１７ｃ及び後端側内側毛束群１７ｄを構成する毛束１５ｃ，１５ｄは、複数本のテーパーブリッスル１６ｃ，１６ｄを束ねて形成されていると共に、外周毛束群１７ａ及び横断毛束群１７ｂを構成する毛束１５ａ，１５ｂよりも、先端が高く突出するように植設されており、外周毛束群１７ａ及び横断毛束群１７ｂを構成する毛束１５ａ，１５ｂは、好ましくは先端に球状部を備える球状ブリッスルを束ねて形成されている。
【００３３】
これらによって、本実施形態の歯ブラシ１０によれば、図４に示すように、奥歯の特に咬合面の部分を刷掃する際に、先端側内側毛束群１７ｃの周囲を囲む、横断毛束群１７ｂの毛束１５ｂと、横断毛束群１７ｂよりも先端側の外周毛束群１７ａの毛束１５ａとによって、個々の奥歯の咬合面を包み込むようにしながら刷掃することができるので、先端側内側毛束群１７ｃを形成する、先端部分が撓みやすいテーパーブリッスル１６ｃによる毛束１５ｃによって、溝となっていて汚れが溜まりやすい咬合面を、横断毛束群１７ｂや外周毛束群１７ａを形成する、先端部分が撓み難いブリッスル１６ａ，１６ｂによる毛束１５ａ，１５ｂと協働しながら、効率良く刷掃してゆくことが可能になる。また、横断毛束群１７ｂの毛束１５ｂを、奥歯の咬合面側の歯間部に沿わせるようにしながら、横断毛束群１７ｂの毛束１５ｂの撓み難いブリッスル１６ｂを、咬合面側の歯間部に奥深く入り込ませることが可能になって、奥歯の咬合面側の歯間部を効果的に刷掃することが可能になる。
【００３４】
したがって、本実施形態の歯ブラシ１０によれば、先端側内側毛束群１７ｃや後端側内側毛束群１７ｄを形成するテーパーブリッスル１６ｃ，１６ｄによる毛束１５ｃ，１５ｄと、横断毛束群１７ｂや外周毛束群１７ａを形成する、テーパー形状部分を備えていないブリッスルを１６ａ，１６ｂによる毛束１５ａ，１５ｂとの協働によって、奥歯の側面や咬合面を効率良く刷掃できることに加えて、横断毛束群１７ｂの毛束１５ｂのブリッスル１６ｂによって、奥歯の咬合面側の歯間部を、効率良く刷掃することが可能になる。
【００３５】
また、本実施形態によれば、植毛台の長手方向Ｘの中間部分に段差部１９が設けられており、先端側上段植毛台１９ａに先端側内側毛束群１７ｃが植設されていると共に、後端側下段植毛台１９ｂに後端側内側毛束群１７ｄが植設されていることによって、奥歯の咬合面の溝に溜まった汚れをさらに効率良く清掃することが可能になる。横断毛束群１７ｂが、段差部１９に近接する部分の後端側下段植毛台１９ｂに設けられていることによって、横断毛束群１７ｂを構成する毛束１５ｂを、奥歯の咬合面の歯間部により深く到達させることが可能になる。
【００３６】
なお、本発明は上記各実施形態に限定されることなく種々の変更が可能である。例えば、横断毛束群１７ｂは、図５に示すように、段差部１９に近接する部分の先端側上段植毛台１９ａに設けることもできる。これによって、横断毛束群１７ｂの剛性が増して、よりしっかりと歯面の汚れを掻き取ることが可能になる。また、植毛台の長手方向の中間部分に幅方向に横断して、段差部を設ける必要は必ずしも無く、先端側内側毛束群と後端側内側毛束群とを、植毛台における同じ高さの植毛面に植設することもできる。
【符号の説明】
【００３７】
１０  歯ブラシ
１１  植毛台
１１ａ  トラック円形状の植毛面
１２  首部
１３  歯ブラシ本体
１４ａ  外周部植毛穴
１４ｂ  横断植毛穴
１４ｃ  先端側内側植毛穴
１４ｄ  後端側内側植毛穴
１５ａ  外周毛束
１５ｂ  横断毛束
１５ｃ  先端側内側毛束
１５ｄ  後端側内側毛束
１６ａ  ブリッスル（球状ブリッスル）
１６ｂ  ブリッスル（球状ブリッスル）
１６ｃ  ブリッスル（テーパーブリッスル）
１６ｄ  ブリッスル（テーパーブリッスル）
１７ａ  外周毛束群
１７ｂ  横断毛束群
１７ｃ  先端側内側毛束群
１７ｄ  後端側内側毛束群
１８  内側領域
１９  段差部
１９ａ  先端側上段植毛台
１９ｂ  後端側下段植毛台
Ｘ    植毛台の長手方向
Ｙ    植毛台の幅方向
【図１】
2019208973.tif 000003
【図２】
2019208973.tif 000004
【図３】
2019208973.tif 000005
【図４】
2019208973.tif 000006
【図５】
2019208973.tif 000007